(57)【要約】【課題】  フロントカバーとトップカバーとの間の間隙を小さく均等にすること。【解決手段】  機器本体を内蔵する筐体１が、フロントカバー１Ａ及びトップカバー１Ｂを有し、フロントカバー１Ａが３分割されて中央本体２と左右一対の両翼部３，４とにより形成され、各翼部３，４から延びる上側連結部材１５の先端部がビス２２により中央本体２に止着され、その中央本体２及び両翼部３，４の上面後端縁２ｃ，３ａ，４ａが面一状に揃った状態からビス２２をねじ込むことにより発生するねじ込み力Ｍで両翼部３，４の上部が弾性変位させられて前方ａまたは後方ｂに位置ずれされるのを阻止するストッパ３３，３４が設けられている。【選択図】        図１
2010282681.tif 000002
【特許請求の範囲】
【請求項１】
機器本体を内蔵する筐体が、フロントカバー、トップカバー及びボトムシャーシとを有
し、前記フロントカバーが３分割されて中央本体と左右一対の両翼部とにより形成され、
その中央本体が外側カバーと該外側カバー内に組み込んだインナーパネルとからなり、そ
の外側カバーの天板部の下面後端縁にＬ字枠を一体突設することにより該Ｌ字枠と天板部
との間に凹溝１１が形成され、その凹溝にトップカバーの天板部前端縁から前方に延びる
突起片が差し込まれ、各翼部の端面上端から側方に延びて中央本体の天板部とインナーパ
ネルとの間の隙間に挿入される根元部と該根元部の先端から後方に延びて隙間の外まで突
出する先端部とからなる上側連結部材を有し、その上側連結部材の先端部にビス挿通孔が
貫設されており、そのビス挿通孔からインナーパネルに一体突設した突起部のビス孔にビ
スをねじ込むことにより、中央本体に両翼部が連結されるようにした電子機器において、
前記フロントカバーを形成する中央本体及び両翼部の上面後端縁が面一状に揃った状態か
ら前記ビスをねじ込むことにより発生するねじ込み力で両翼部の上部が弾性変位させられ
て前方または後方に位置ずれされるのを阻止するストッパが設けられていることを特徴と
する電子機器。
【請求項２】
前記各ストッパが、各上側連結部材のビス挿通孔の中心を前後方向に沿って通る仮想線
を境にしてビスのねじ込み方向の後側で該各上側連結部材に一体突設され、その各ストッ
パの後端面をＬ字枠の前端面に当接させたときに、中央本体及び両翼部の上面後端縁が面
一状に揃うように形成されていることを特徴とする請求項１に記載の電子機器。
【発明の詳細な説明】
【技術分野】
【０００１】
本発明は、ディスク装置（例えばＢｌｕ−ｒａｙ  Ｄｉｓｃ式のレコーダまたはプレー
ヤ）などの電子機器に関し、特に、フロントカバーとトップカバーとの間の間隙を小さく
均等にして外観上の体裁を良好に維持するようにしたものである。
【背景技術】
【０００２】
従来、電子機器の一例として図７〜図１３に示すものがあり、これはディスク装置（例
えばＢｌｕ−ｒａｙ  Ｄｉｓｃ式のレコーダまたはプレーヤ）であって、図７は同斜視図
、図８は同要部の右側分解斜視図、図９は同要部の右側平面図、図１０は同右側縦断面図
、図１１は図１０のＡ−Ａ矢視図、図１２は同要部の左側平面図、図１３は同概略平面図
である。
【０００３】
図７〜図１２に示すように、ディスク装置本体（機器本体）を内蔵する筐体１が、フロ
ントカバー１Ａ、トップカバー１Ｂ及びボトムシャーシ１Ｃからなり、前記フロントカバ
ー１Ａが３分割されて中央本体２と左右一対の両翼部３，４とにより形成されている。
【０００４】
図７〜図１１に示すように、前記中央本体２は、例えばアルミなどの金属や合成樹脂材
からなる縦断面略コ字状の外側カバー２Ａと、該外側カバー２Ａ内に組み込んだ合成樹脂
材からなるインナーパネル２Ｂとからなり、外側カバー２Ａの前面に、ディスク挿入口５
、ＳＤカード挿入口６及び各種操作釦７が設けられている。なお、図７中、８は電源釦で
ある。
【０００５】
図８及び図１０に示すように、外側カバー２Ａの天板部２ａの下面後端縁にＬ字枠１０
を一体突設することにより、そのＬ字枠１０と天板部２ａとの間に凹溝１１が形成されて
おり、トップカバー１Ｂの天板部前端縁１Ｂａから前方に延びる突起片１２が凹溝１１に
差し込まれている。なお、図１０中、１３はフロントカバー１Ａの後面に配置したフロン
トブラケットである。
【０００６】
図８〜図１２に示すように、中央本体２の両端面に対向して各翼部３，４の端面に上下
方向所定間隔をおいて３つの連結部材１５〜１７が一体突設されている。
【０００７】
前記上側連結部材１５は、各翼部３，４の端面上端から側方に延びて中央本体２の天板
部２ａとインナーパネル２Ｂとの間の隙間１８に挿入される根元部１５ａと、該根元部１
５ａの先端から後方に延びて隙間１８の外まで突出する先端部１５ｂとにより、平面視略
Ｌ字状に形成され、その先端部１５ｂにビス挿通孔１９が貫設され、先端部１５ｂに対向
してインナーパネル２Ｂの上端部に一体突設した突起部２０にビス孔２１が形成されてお
り、ビス２２をビス挿通孔１９からビス孔２１にねじ込むことにより、上側連結部材１５
がインナーパネル２Ｂに連結されている。
【０００８】
前記中間連結部材１６は、各翼部３，４の端面中間部に一体突設されてインナーパネル
２Ｂの端面の凹孔２４に挿入され、その中間連結部材１６の後端面にビス孔２５が形成さ
れ、インナーパネル２Ｂに凹孔２４に連通するビス挿通孔２６が貫設されており、ビス２
７をビス挿通孔２６からビス孔２５にねじ込むことにより、中間連結部材１６がインナー
パネル２Ｂに連結されている。
【０００９】
前記下側連結部材１７は、各翼部３，４の端面下端に一体突設されて外側カバー２Ａの
底板部２ｂ上に載置され、その下側連結部材１７の下面にビス孔２９が形成され、そのビ
ス孔２９に対向して底板部２ｂにビス挿通孔３０が貫設されており、ビス３１をビス挿通
孔３０からビス孔２９にねじ込むことにより、下側連結部材１７が外側カバー２Ａに連結
されている。なお、関連する技術として特許文献１に記載したものがある。
【先行技術文献】
【特許文献】
【００１０】
【特許文献１】特開２００８−２９８９１１号公報
【発明の概要】
【発明が解決しようとする課題】
【００１１】
上記従来の構成では、図９及び図１２に示すように、ビス２２を計回りでねじ込むこと
により、その時計回りのねじ込み力Ｍでビス２２の頭部が各上側連結部材１５に押し付け
られることから、その各上側連結部材１５が時計方向に回され、これにより、右側の翼部
３（図９参照）の上部が前方ａに弾性変位させられて、該翼部３の上面後端縁３ａが仮想
線位置から前側に移動させられ、その翼部３の上面後端縁３ａと中央本体２の上面後端縁
２ｃとの間に段差αが生じ、また、左側の翼部４（図１２参照）の上部が後方ｂに弾性変
位させられて、該翼部４の上面後端縁４ａが仮想線位置から後側に移動させられ、その翼
部４の上面後端縁４ａと中央本体２の上面後端縁２ｃとの間に段差αが生じ、これにより
、図１３に示すように、中央本体２の上面後端縁２ｃと各翼部３，４の上面後端縁３ａ，
４ａとが揃わず、フロントカバー１Ａとトップカバー１Ｂとの間の間隙ｔが不均等に大き
くなって、外観上の体裁を悪くしている。
【００１２】
本発明は、上記従来の欠点に鑑み、フロントカバーとトップカバーとの間の間隙を小さ
く均等にして外観上の体裁を良好に維持するようにした電子機器を提供することを目的と
している。
【課題を解決するための手段】
【００１３】
上記目的を達成するため、請求項１に記載の発明は、機器本体を内蔵する筐体が、フロ
ントカバー、トップカバー及びボトムシャーシとを有し、前記フロントカバーが３分割さ
れて中央本体と左右一対の両翼部とにより形成され、その中央本体が外側カバーと該外側
カバー内に組み込んだインナーパネルとからなり、その外側カバーの天板部の下面後端縁
にＬ字枠を一体突設することにより該Ｌ字枠と天板部との間に凹溝１１が形成され、その
凹溝にトップカバーの天板部前端縁から前方に延びる突起片が差し込まれ、各翼部の端面
上端から側方に延びて中央本体の天板部とインナーパネルとの間の隙間に挿入される根元
部と該根元部の先端から後方に延びて隙間の外まで突出する先端部とからなる上側連結部
材を有し、その上側連結部材の先端部にビス挿通孔が貫設されており、そのビス挿通孔か
らインナーパネルに一体突設した突起部のビス孔にビスをねじ込むことにより、中央本体
に両翼部が連結されるようにした電子機器において、前記フロントカバーを形成する中央
本体及び両翼部の上面後端縁が面一状に揃った状態から前記ビスをねじ込むことにより発
生するねじ込み力で両翼部の上部が弾性変位させられて前方または後方に位置ずれされる
のを阻止するストッパが設けられていることを特徴としている。
【００１４】
請求項２に記載の発明は、請求項１に記載の発明において、前記各ストッパが、各上側
連結部材のビス挿通孔の中心を前後方向に沿って通る仮想線を境にしてビスのねじ込み方
向の後側で該各上側連結部材に一体突設され、その各ストッパの後端面をＬ字枠の前端面
に当接させたときに、中央本体及び両翼部の上面後端縁が面一状に揃うように形成されて
いることを特徴としている。
【発明の効果】
【００１５】
請求項１に記載の発明によれば、フロントカバーの各翼部の上部がビスのねじ込み力で
弾性変位して前方または後方に位置ずれするのをストッパで阻止しているので、そのフロ
ントカバーの中央本体及び両翼部の上面後端縁が面一状に揃えられた状態を確実に保持し
、そのフロントカバーとトップカバーとの間の間隙を小さく均等にして外観上の体裁を良
好に維持することができる。
【００１６】
請求項２に記載の発明によれば、各ストッパが各翼部の上側連結部材に一体突設されて
おり、構造簡単で部品点数が増加していないから、製作費が高くつくことがなく、経済的
である。
【図面の簡単な説明】
【００１７】
【図１】本発明の実施の一形態である電子機器の一例を示す斜視図である。
【図２】同要部の右側分解斜視図である。
【図３】同要部の右側平面図である。
【図４】同右側縦断面図である。
【図５】同要部の左側分解斜視図である。
【図６】同要部の左側平面図である。
【図７】従来例を示す斜視図である。
【図８】同要部の右側分解斜視図である。
【図９】同要部の右側平面図である。
【図１０】同右側縦断面図である。
【図１１】図１０のＡ−Ａ矢視図である。
【図１２】同要部の左側平面図である。
【図１３】同概略平面図である。
【発明を実施するための形態】
【００１８】
図１〜図６は本発明の実施の一形態である電子機器の一例を示すものであって、これは
ディスク装置（例えばＢｌｕ−ｒａｙ  Ｄｉｓｃ式のレコーダまたはプレーヤ）であり、
フロントカバー１Ａを形成する中央本体２及び両翼部３，４の上面後端縁２ｃ，３ａ，４
ａが面一状に揃った状態からビス２２を各上側連結部材１５のビス挿通孔１９を通って突
起部２０のビス孔２１にねじ込むことにより発生するねじ込み力Ｍで両翼部３，４が弾性
変位させられて前方ａまたは後方ｂに位置ずれされるのを阻止するストッパ３３，３４が
設けられている。上記以外の構成は図７〜図１３に示す構成とほぼ同じであるから、同一
部分に同一符号を付してその説明を省略する。
【００１９】
図３及び図６に示すように、各ストッパ３３，３４は、ビス挿通孔１９の中心を前後方
向ａ，ｂに沿って通る仮想線Ｓを境にしてビス２２のねじ込み方向（時計方向）の後側で
各上側連結部材１５に一体突設され、また、図４に示すように、各ストッパ３３，３４の
後端面３３ａ，３４ａをＬ字枠１０に前端面１０ａに当接させたときに、中央本体２及び
両翼部３，４の上面後端縁２ｃ，３ａ，４ａが面一状に揃うように形成されている。
【００２０】
上記構成において、図３及び図６に示すように、ビス２２を計回りでねじ込むことによ
り、その時計回りのねじ込み力Ｍでビス２２の頭部が各上側連結部材１５に押し付けられ
ることから、該各上側連結部材１５が時計方向に回されようとするが、各ストッパ３３，
３４がＬ字枠１０に当たって、その各上側連結部材１５が時計方向に回されるのを阻止す
る。
【００２１】
従って、右側の翼部３（図３参照）の上部が従来のように前方ａに弾性変位させられて
該翼部３の上面後端縁３ａが前側に移動させられることがなくなり、その翼部３の上面後
端縁３ａと中央本体２の上面後端縁２ｃとの面一状態が保持される。
【００２２】
また、左側の翼部４（図６参照）の上部が従来のように後方ｂに弾性変位させられて該
翼部４の上面後端縁４ａが後側に移動させられることがなくなり、その翼部４の上面後端
縁４ａと中央本体２の上面後端縁２ｃとの面一状態が保持される。
【００２３】
要するに、フロントカバー１Ａの各翼部３，４の上部がビス２２のねじ込み力Ｍで弾性
変位して前方ａまたは後方ｂに位置ずれするのをストッパ３３，３４で阻止しているので
、そのフロントカバー１Ａの中央本体２及び両翼部３，４の上面後端縁２ｃ，３ａ，４ａ
が面一状に揃えられた状態を確実に保持し、そのフロントカバー１Ａとトップカバー１Ｂ
との間の間隙ｔを小さく均等にして外観上の体裁を良好に維持することができる。
【００２４】
また、各ストッパ３３，３４が各翼部３，４の上側連結部材１５に一体突設されており
、構造簡単で部品点数が増加していないから、製作費が高くつくことがなく、経済的であ
る。
【００２５】
前記構成では、ストッパ３３，３４の後端面３３ａ，３４ａをＬ字枠１０の前端面１０
ａに当接させることにより、各上側連結部材１５がねじ込み方向に回らないようにしたが
、これに限定されるわけではなく、各ストッパ３３，３４を各上側連結部材１５の別の位
置や各翼部３，４の適所に一体突設して、その各上側連結部材１５がねじ込み方向に回ら
ないようにしてもよい。
【産業上の利用可能性】
【００２６】
上記実施の形態では、ディスク装置を例にあげて説明したが、これに限定されるわけで
なく、筐体のフロントカバーが３分割されて中央本体と左右一対の両翼部とからなる各種
の電子機器に適用される。
【符号の説明】
【００２７】
１              筐体
１Ａ            フロントカバー
１Ｂ            トップカバー
１Ｂａ          トップカバーの天板部前端縁
１Ｃ            ボトムシャーシ
２              フロントカバーの中央本体
２ｃ            中央本体の上面後端縁
３，４          フロントカバーの両翼部
３ａ，４ａ      両翼部の上面後端縁
１０            Ｌ字枠
１０ａ          Ｌ字枠の前端面
１１            凹溝
１２            突起片
１５            上側連結部材
１５ａ          上側連結部材の根元部
１５ｂ          上側連結部材の先端部
１８            隙間
１９            ビス挿通孔
２０            突起部
２１            ビス孔
２２            ビス
３３，３４      ストッパ
３３ａ，３４ａ  ストッパの後端面
ａ              前方
ｂ              後方
Ｍ              ねじ込み力
【図１】
2010282681.tif 000003
【図２】
2010282681.tif 000004
【図３】
2010282681.tif 000005
【図４】
2010282681.tif 000006
【図５】
2010282681.tif 000007
【図６】
2010282681.tif 000008
【図７】
2010282681.tif 000009
【図８】
2010282681.tif 000010
【図９】
2010282681.tif 000011
【図１０】
2010282681.tif 000012
【図１１】
2010282681.tif 000013
【図１２】
2010282681.tif 000014
【図１３】
2010282681.tif 000015